【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
マルチビュービデオデータのトラックを解析することと、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析することとを備え、前記トラック参照を解析することが、前記トラックが前記特定のビューの前記深度ビューを含み、参照トラックが前記特定のビューの前記テクスチャビューを含むことを示すトラック参照タイプ「ｄｅｐｓ」を解析することを含む、方法。
【請求項２】
ビデオデータを処理するための装置であって、
ビデオデータを記憶するように構成されるメモリと、
マルチビュービデオデータのトラックを解析し、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析する
ように構成される１つ以上のプロセッサとを備え、前記トラック参照を解析することが、前記トラックが前記特定のビューの前記深度ビューを含み、参照トラックが前記特定のビューの前記テクスチャビューを含むことを示すトラック参照タイプ「ｄｅｐｓ」を解析することを含む、装置。
【請求項３】
前記トラック中の各ビューに対して、前記ビューがテクスチャビューか深度ビューかを決定するために、サンプルエントリーとマルチビューグループエントリーの少なくとも１つからのビュー識別子ボックスを解析するように更に構成され、前記サンプルエントリーと前記マルチビューグループエントリーの前記少なくとも１つが前記トラックと関連付けられる、請求項２に記載の装置。
【請求項４】
参照ビューのテクスチャビュー又は深度ビューが前記トラック中の特定のビューを復号するために必要とされるかどうかを決定するためにビュー識別子ボックスを解析すること及び
前記ビューの１つ以上と関連付けられる３次元スケーラビリティ情報補足強化情報（ＳＥＩ）メッセージを決定するために、ＳＥＩメッセージボックスを解析することの少なくとも一方を行うように更に構成される、請求項２に記載の装置。
【請求項５】
前記トラックが前記特定のビューの前記深度ビューを含み、前記装置は、
前記特定のビューの前記深度ビューの空間分解能を決定するために３ＶＣ深度分解能ボックスを解析するように更に構成される、請求項２に記載の装置。
【請求項６】
前記トラックが前記特定のビューの前記深度ビューを含み、前記装置は、
前記特定のビューの前記深度ビューの幅と高さとを決定するために、３次元ビデオコード化（３ＶＣ）デコーダ構成記録を解析するように更に構成される、請求項２に記載の装置。
【請求項７】
前記トラックが３次元ビデオコード化（３ＶＣ）トラックであり、前記装置は、３ＶＣデコーダ構成記録を解析するように更に構成され、前記３ＶＣ
デコーダ構成記録が、前記マルチビュービデオデータの一致するサンプルエントリーに対する構成記録を示す、請求項２に記載の装置。
【請求項８】
ビデオデータを処理する方法であって、
マルチビュービデオデータのトラックを合成することと、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成することとを備え、前記トラック参照を合成することが、前記トラックが前記特定のビューの前記深度ビューを含み、参照トラックが前記特定のビューの前記テクスチャビューを含むことを示すトラック参照タイプ「ｄｅｐｓ」を合成することを含む、方法。
【請求項９】
ビデオデータを処理するための装置であって、
ビデオデータを記憶するように構成されるメモリと、
マルチビュービデオデータのトラックを合成し、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成する
ように構成される１つ以上のプロセッサとを備え、前記トラック参照を合成することが、前記トラックが前記特定のビューの前記深度ビューを含み、参照トラックが前記特定のビューの前記テクスチャビューを含むことを示すトラック参照タイプ「ｄｅｐｓ」を合成することを含む、装置。
【請求項１０】
前記１つ以上のプロセッサが更に、
前記トラック中の各ビューに対して、前記ビューがテクスチャビューか深度ビューかを示すために、サンプルエントリーとマルチビューグループエントリーの少なくとも１つからのビュー識別子ボックスを合成するように構成され、前記サンプルエントリーと前記マルチビューグループエントリーの前記少なくとも１つが前記トラックと関連付けられる、請求項９に記載の装置。
【請求項１１】
前記１つ以上のプロセッサが更に、
参照ビューのテクスチャビュー又は深度ビューが前記トラック中の特定のビューを復号するために必要とされるかどうかを示すためにビュー識別子ボックスを合成すること及び
前記ビューの１つ以上と関連付けられる３次元スケーラビリティ情報補足強化情報（ＳＥＩ）メッセージを示すために、ＳＥＩメッセージボックスを合成するこの少なくとも一方を行うように構成される、請求項９に記載の装置。
【請求項１２】
前記トラックが前記特定のビューの前記深度ビューを含み、前記装置は、
前記特定のビューの前記深度ビューの空間分解能を示すために３ＶＣ深度分解能ボックスを合成すること及び
前記特定のビューの前記深度ビューの幅と高さとを示すために、３次元ビデオコード化（３ＶＣ）デコーダ構成記録を合成することの少なくとも一方を行うように更に構成される、請求項９に記載の装置。
【請求項１３】
前記トラックが３次元ビデオコード化（３ＶＣ）トラックであり、前記装置は、
３ＶＣデコーダ構成記録を合成するように更に構成され、前記３ＶＣデコーダ構成記録が、前記マルチビュービデオデータの一致するサンプルエントリーに対する構成記録を示す、請求項９に記載の装置。
【請求項１４】
命令を記憶したコンピュータ可読記憶媒体であって、前記命令が、実行されると、ビデオコード化装置の１つ以上のプロセッサに請求項１または請求項８にしたがった方法を実行させる、コンピュータ可読記憶媒体。
【手続補正２】
【補正対象書類名】明細書
【補正対象項目名】０２５８
【補正方法】変更
【補正の内容】
【０２５８】
[0272]様々な例が説明されてきた。これら例及び他の例は、以下の特許請求の範囲内にある。
以下に、本願出願の当初の特許請求の範囲に記載された発明を付記する。
［Ｃ１］
ビデオデータを処理する方法であって、
マルチビュービデオデータのトラックを解析することと、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析することとを備え、前記トラック参照を解析することが、
前記トラックが前記特定のビューの前記深度ビューを含み前記参照トラックが前記特定のビューの前記テクスチャビューを含むことを示すトラック参照タイプ「ｄｅｐｓ」を解析することと、
前記参照されたトラックに記憶されている前記特定のビューの前記テクスチャビューに前記トラックが依存することを示すトラック参照タイプ「ｔｒｅｆ」を解析することと、
前記参照されたトラックに記憶されている前記特定のビューの前記深度ビューに前記トラックが依存することを示すトラック参照タイプ「ｄｒｅｆ」を解析することと
の少なくとも１つを含む、方法。
［Ｃ２］
前記トラック中の各ビューに対して、前記ビューがテクスチャビューか深度ビューかを決定するために、サンプルエントリーとマルチビューグループエントリーの少なくとも１つからのビュー識別子ボックスを解析することを更に備え、前記サンプルエントリーと前記マルチビューグループエントリーの前記少なくとも１つが前記トラックと関連付けられる、Ｃ１に記載の方法。
［Ｃ３］
参照ビューのテクスチャビュー又は深度ビューが前記トラック中の特定のビューを復号するために必要とされるかどうかを決定するためにビュー識別子ボックスを解析することを更に備える、Ｃ１に記載の方法。
［Ｃ４］
前記ビューの１つ以上と関連付けられる３次元スケーラビリティ情報補足強化情報（ＳＥＩ）メッセージを決定するために、ＳＥＩメッセージボックスを解析することを更に備える、Ｃ１に記載の方法。
［Ｃ５］
前記トラックが前記特定のビューの前記深度ビューを含み、
前記特定のビューの前記深度ビューの空間分解能を決定するために３ＶＣ深度分解能ボックスを解析することを更に備える、Ｃ１に記載の方法。
［Ｃ６］
前記トラックが前記特定のビューの前記深度ビューを含み、
前記特定のビューの前記深度ビューの幅と高さとを決定するために、３次元ビデオコード化（３ＶＣ）デコーダ構成記録を解析することを更に備える、Ｃ１に記載の方法。
［Ｃ７］
前記トラックが３次元ビデオコード化（３ＶＣ）トラックであり、
３ＶＣデコーダ構成記録を解析することを更に備え、前記３ＶＣデコーダ構成記録が、前記マルチビュービデオデータの一致するサンプルエントリーに対する構成記録を示す、Ｃ１に記載の方法。
［Ｃ８］
ビデオデータを処理するための装置であって、
ビデオデータを記憶するように構成されるメモリと、
マルチビュービデオデータのトラックを解析し、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析する
ように構成される１つ以上のプロセッサとを備え、前記トラック参照を解析することが、
前記トラックが前記特定のビューの前記深度ビューを含み前記参照トラックが前記特定のビューの前記テクスチャビューを含むことを示すトラック参照タイプ「ｄｅｐｓ」を解析すると、
前記参照されたトラックに記憶されている前記特定のビューの前記テクスチャビューに前記トラックが依存することを示すトラック参照タイプ「ｔｒｅｆ」を解析すると、
前記参照されたトラックに記憶されている前記特定のビューの前記深度ビューに前記トラックが依存することを示すトラック参照タイプ「ｄｒｅｆ」を解析すると
の少なくとも１つを含む、装置。
［Ｃ９］
前記トラック中の各ビューに対して、前記ビューがテクスチャビューか深度ビューかを決定するために、サンプルエントリーとマルチビューグループエントリーの少なくとも１つからのビュー識別子ボックスを解析するように更に構成され、前記サンプルエントリーと前記マルチビューグループエントリーの前記少なくとも１つが前記トラックと関連付けられる、Ｃ８に記載の装置。
［Ｃ１０］
参照ビューのテクスチャビュー又は深度ビューが前記トラック中の特定のビューを復号するために必要とされるかどうかを決定するためにビュー識別子ボックスを解析するように更に構成される、Ｃ８に記載の装置。
［Ｃ１１］
前記ビューの１つ以上と関連付けられる３次元スケーラビリティ情報補足強化情報（ＳＥＩ）メッセージを決定するために、ＳＥＩメッセージボックスを解析するように更に構成される、Ｃ８に記載の装置。
［Ｃ１２］
前記トラックが前記特定のビューの前記深度ビューを含み、
前記特定のビューの前記深度ビューの空間分解能を決定するために３ＶＣ深度分解能ボックスを解析するように更に構成される、Ｃ８に記載の装置。
［Ｃ１３］
前記トラックが前記特定のビューの前記深度ビューを含み、
前記特定のビューの前記深度ビューの幅と高さとを決定するために、３次元ビデオコード化（３ＶＣ）デコーダ構成記録を解析するように更に構成される、Ｃ８に記載の装置。
［Ｃ１４］
前記トラックが３次元ビデオコード化（３ＶＣ）トラックであり、
３ＶＣデコーダ構成記録を解析するように更に構成され、前記３ＶＣデコーダ構成記録が、前記マルチビュービデオデータの一致するサンプルエントリーに対する構成記録を示す、Ｃ８に記載の装置。
［Ｃ１５］
命令を記憶した非一時的コンピュータ可読記憶媒体であって、前記命令が、実行されると、ビデオコード化装置の１つ以上のプロセッサに、
マルチビュービデオデータのトラックを解析させ、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析させ、前記トラック参照を解析することが、
前記トラックが前記特定のビューの前記深度ビューを含み前記参照トラックが前記特定のビューの前記テクスチャビューを含むことを示すトラック参照タイプ「ｄｅｐｓ」を解析すると、
前記参照されたトラックに記憶されている前記特定のビューの前記テクスチャビューに前記トラックが依存することを示すトラック参照タイプ「ｔｒｅｆ」を解析すると、
前記参照されたトラックに記憶されている前記特定のビューの前記深度ビューに前記トラックが依存することを示すトラック参照タイプ「ｄｒｅｆ」を解析すると
の少なくとも１つを含む、非一時的コンピュータ可読記憶媒体。
［Ｃ１６］
コード化されたビデオコンテンツを含むビデオファイルを解析するように構成される装置であって、
マルチビュービデオデータのトラックを解析するための手段と、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を決定するために前記トラック参照を解析するための手段とを備え、前記トラック参照を解析することが、
前記トラックが前記特定のビューの前記深度ビューを含み前記参照トラックが前記特定のビューの前記テクスチャビューを含むことを示すトラック参照タイプ「ｄｅｐｓ」を解析するための手段と、
前記参照されたトラックに記憶されている前記特定のビューの前記テクスチャビューに前記トラックが依存することを示すトラック参照タイプ「ｔｒｅｆ」を解析するための手段と、
前記参照されたトラックに記憶されている前記特定のビューの前記深度ビューに前記トラックが依存することを示すトラック参照タイプ「ｄｒｅｆ」を解析するための手段と
の少なくとも１つを含む、装置。
［Ｃ１７］
ビデオデータを処理する方法であって、
マルチビュービデオデータのトラックを合成することと、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成することとを備え、前記トラック参照を合成することが、
前記トラックが前記特定のビューの前記深度ビューを含み前記参照トラックが前記特定のビューの前記テクスチャビューを含むことを示すトラック参照タイプ「ｄｅｐｓ」を合成することと、
前記参照されたトラックに記憶されている前記特定のビューの前記テクスチャビューに前記トラックが依存することを示すトラック参照タイプ「ｔｒｅｆ」を合成することと、
前記参照されたトラックに記憶されている前記特定のビューの前記深度ビューに前記トラックが依存することを示すトラック参照タイプ「ｄｒｅｆ」を合成することと
の少なくとも１つを含む、方法。
［Ｃ１８］
前記トラック中の各ビューに対して、前記ビューがテクスチャビューか深度ビューかを示すために、サンプルエントリーとマルチビューグループエントリーの少なくとも１つへとビュー識別子ボックスを合成することを更に備え、前記サンプルエントリーと前記マルチビューグループエントリーの前記少なくとも１つが前記トラックと関連付けられる、Ｃ１７に記載の方法。
［Ｃ１９］
参照ビューのテクスチャビュー又は深度ビューが前記トラック中の特定のビューを復号するために必要とされるかどうかを示すためにビュー識別子ボックスを合成することを更に備える、Ｃ１７に記載の方法。
［Ｃ２０］
前記ビューの１つ以上と関連付けられる３次元スケーラビリティ情報補足強化情報（ＳＥＩ）メッセージを示すために、ＳＥＩメッセージボックスを合成することを更に備える、Ｃ１７に記載の方法。
［Ｃ２１］
前記トラックが前記特定のビューの前記深度ビューを含み、
前記特定のビューの前記深度ビューの空間分解能を示すために３ＶＣ深度分解能ボックスを合成することを更に備える、Ｃ１７に記載の方法。
［Ｃ２２］
前記トラックが前記特定のビューの前記深度ビューを含み、
前記特定のビューの前記深度ビューの幅と高さとを示すために、３次元ビデオコード化（３ＶＣ）デコーダ構成記録を合成することを更に備える、Ｃ１７に記載の方法。
［Ｃ２３］
前記トラックが３次元ビデオコード化（３ＶＣ）トラックであり、
３ＶＣデコーダ構成記録を合成することを更に備え、前記３ＶＣデコーダ構成記録が、前記マルチビュービデオデータの一致するサンプルエントリーに対する構成記録を示す、Ｃ１７に記載の方法。
［Ｃ２４］
ビデオデータを処理するための装置であって、
ビデオデータを記憶するように構成されるメモリと、
マルチビュービデオデータのトラックを合成し、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成する
ように構成される１つ以上のプロセッサとを備え、前記トラック参照を合成することが、
前記トラックが前記特定のビューの前記深度ビューを含み前記参照トラックが前記特定のビューの前記テクスチャビューを含むことを示すトラック参照タイプ「ｄｅｐｓ」を合成すると、
前記参照されたトラックに記憶されている前記特定のビューの前記テクスチャビューに前記トラックが依存することを示すトラック参照タイプ「ｔｒｅｆ」を合成すると、
前記参照されたトラックに記憶されている前記特定のビューの前記深度ビューに前記トラックが依存することを示すトラック参照タイプ「ｄｒｅｆ」を合成すると
の少なくとも１つを含む、装置。
［Ｃ２５］
前記１つ以上のプロセッサが更に、
前記トラック中の各ビューに対して、前記ビューがテクスチャビューか深度ビューかを示すために、サンプルエントリーとマルチビューグループエントリーの少なくとも１つからのビュー識別子ボックスを合成するように構成され、前記サンプルエントリーと前記マルチビューグループエントリーの前記少なくとも１つが前記トラックと関連付けられる、Ｃ２４に記載の装置。
［Ｃ２６］
前記１つ以上のプロセッサが更に、
参照ビューのテクスチャビュー又は深度ビューが前記トラック中の特定のビューを復号するために必要とされるかどうかを示すためにビュー識別子ボックスを合成するように構成される、Ｃ２４に記載の装置。
［Ｃ２７］
前記１つ以上のプロセッサが更に、
前記ビューの１つ以上と関連付けられる３次元スケーラビリティ情報補足強化情報（ＳＥＩ）メッセージを示すために、ＳＥＩメッセージボックスを合成するように構成される、Ｃ２４に記載の装置。
［Ｃ２８］
前記トラックが前記特定のビューの前記深度ビューを含み、
前記特定のビューの前記深度ビューの空間分解能を示すために３ＶＣ深度分解能ボックスを合成するように更に構成される、Ｃ２４に記載の装置。
［Ｃ２９］
前記トラックが前記特定のビューの前記深度ビューを含み、
前記特定のビューの前記深度ビューの幅と高さとを示すために、３次元ビデオコード化（３ＶＣ）デコーダ構成記録を合成するように更に構成される、Ｃ２４に記載の装置。
［Ｃ３０］
前記トラックが３次元ビデオコード化（３ＶＣ）トラックであり、
３ＶＣデコーダ構成記録を合成するように更に構成され、前記３ＶＣデコーダ構成記録が、前記マルチビュービデオデータの一致するサンプルエントリーに対する構成記録を示す、Ｃ２４に記載の装置。
［Ｃ３１］
命令を記憶した非一時的コンピュータ可読記憶媒体であって、前記命令が、実行されると、ビデオコード化装置の１つ以上のプロセッサに、
マルチビュービデオデータのトラックを合成させ、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成させ、前記トラック参照を合成することが、
前記トラックが前記特定のビューの前記深度ビューを含み前記参照トラックが前記特定のビューの前記テクスチャビューを含むことを示すトラック参照タイプ「ｄｅｐｓ」を合成すると、
前記参照されたトラックに記憶されている前記特定のビューの前記テクスチャビューに前記トラックが依存することを示すトラック参照タイプ「ｔｒｅｆ」を合成すると、
前記参照されたトラックに記憶されている前記特定のビューの前記深度ビューに前記トラックが依存することを示すトラック参照タイプ「ｄｒｅｆ」を合成すると
の少なくとも１つを含む、非一時的コンピュータ可読記憶媒体。
［Ｃ３２］
コード化されたビデオコンテンツを含むビデオファイルを解析するように構成される装置であって、
マルチビュービデオデータのトラックを合成するための手段と、ここにおいて、前記トラックは、特定のビューのテクスチャビューと前記特定のビューの深度ビューの１つのみを含む１つ以上のビューを含む、
トラック参照で示される参照されたトラックに対する前記トラックの依存関係を示すために前記トラック参照を合成するための手段とを備え、前記トラック参照を合成することが、
前記トラックが前記特定のビューの前記深度ビューを含み前記参照トラックが前記特定のビューの前記テクスチャビューを含むことを示すトラック参照タイプ「ｄｅｐｓ」を合成するための手段と、
前記参照されたトラックに記憶されている前記特定のビューの前記テクスチャビューに前記トラックが依存することを示すトラック参照タイプ「ｔｒｅｆ」を合成するための手段と、
前記参照されたトラックに記憶されている前記特定のビューの前記深度ビューに前記トラックが依存することを示すトラック参照タイプ「ｄｒｅｆ」を合成するための手段と
の少なくとも１つを含む、装置。